(57)【要約】【課題】従来の空気浄化装置付きテーブルでは除去できなかった一酸化炭素等の汚染空気が拡散されることがなく、また建築物等に設置された既存の換気装置と組み合わせて使用することにより、効果的に汚染空気の浄化を行うことができる空気浄化装置を提供する。【解決手段】集塵装置、集塵フィルタ、臭気除去装置及び臭気除去フィルタの少なくともいずれか１つを有する空気浄化部６と、空気の吸引及び吹出しを行う送風機７と、空気浄化部６と送風機７を収納して空気清浄機４を形成する箱体４ａとを備え、空気清浄機４の吹出し口８を、箱体４ａの、一般的使用者の顔の位置より高い位置に設け、吹出し口８から吹き出された空気を、既存の排気装置の吸込口１０又は既存の換気装置の吸込口へ向かって搬送するようにしたものである。【選択図】        図１
2004324984.tif 000002
【特許請求の範囲】
【請求項１】
集塵装置、集塵フィルタ、臭気除去装置及び臭気除去フィルタの少なくともいずれか１つを有する空気浄化部と、空気の吸引及び吹出しを行う送風機と、前記空気浄化部と送風機を収納して空気清浄機を形成する箱体とを備え、
前記空気清浄機の吹出し口を、前記箱体の、一般的使用者の顔の位置より高い位置に設けたことを特徴とする空気浄化装置。
【請求項２】
前記吹出し口から吹き出された空気を、既存の排気装置の吸込口又は既存の換気装置の吸込口へ向かって搬送するようにしたことを特徴とする請求項１記載の空気浄化装置。
【請求項３】
集塵装置、集塵フィルタ、臭気除去装置及び臭気除去フィルタの少なくともいずれか１つを有する空気浄化部と、空気の吸引及び吹出しを行う送風機と、前記空気浄化部と送風機を収納して空気清浄機を形成する箱体とを備え、
前記空気清浄機の吹出し口から吹き出された空気を、既存の排気装置の吸込口又は既存の換気装置の吸込口へ向かって搬送するようにしたことを特徴とする空気浄化装置。
【請求項４】
前記空気清浄機の吸込口を、汚染空気の発生する位置よりも高い位置に設けたことを特徴とする請求項１〜３のいずれかに記載の空気浄化装置。
【請求項５】
前記空気浄化部及び送風機を、前記箱体内部の、空気清浄機の吸込口より高い位置に収納し、空気浄化部及び送風機を略直線上に配置したことを特徴とする請求項４記載の空気浄化装置。
【請求項６】
前記空気清浄機によって浄化された空気を、空気清浄機の吹出し口から既存の排気装置の吸込口又は既存の換気装置の吸込口へ向かって吹き出すことを特徴とする請求項１〜５のいずれかに記載の空気浄化装置。
【請求項７】
前記空気清浄機の吹出し口と、既存の排気装置の吸込口又は既存の換気装置の吸込口とをダクトで連接したことを特徴とする請求項１〜５のいずれかに記載の空気浄化装置。
【請求項８】
前記空気清浄機の吹出し口を、既存の排気装置の吸込口又は既存の換気装置の吸込口に略正対する位置に設置して使用することを特徴とする請求項６記載の空気浄化装置。
【請求項９】
前記空気清浄機によって浄化された空気の気流の向きを変化させるようにしたことを特徴とする請求項１〜６のいずれかに記載の空気浄化装置。
【請求項１０】
集塵装置、集塵フィルタ、臭気除去装置及び臭気除去フィルタの少なくともいずれか１つを有する空気浄化部と、空気の吸引及び吹出しを行う送風機と、前記空気浄化部と送風機を収納して空気清浄機を形成する箱体とを備え、
前記空気清浄機によって浄化された空気の気流の向きを変化させるようにしたことを特徴とする空気浄化装置。
【請求項１１】
前記空気清浄機の吹出し口が風向きを変化させる風向制御板を備え、前記風向制御板を有する吹出し口の周囲が回転することを特徴とする請求項９又は１０記載の空気浄化装置。
【請求項１２】
前記空気清浄機の吹出し口の上部に屈曲する筒体を備えたことを特徴とする請求項９〜１１のいずれかに記載の空気浄化装置。
【請求項１３】
前記空気清浄機の箱体が、屈曲することを特徴とする請求項９又は１０記載の空気浄化装置。
【請求項１４】
集塵装置、集塵フィルタ、臭気除去装置及び臭気除去フィルタの少なくともいずれか１つを有する空気浄化部と、空気の吸引及び吹出しを行う送風機と、前記空気浄化部と送風機を収納して空気清浄機を形成する箱体とを備え、
前記空気清浄機の吸込口を汚染空気の発生する位置よりも高い位置に設け、空気清浄機の吸込口の下方の略正対する位置にタバコの吸い殻及び灰を収納する容器構造を設けたことを特徴とする空気浄化装置。
【発明の詳細な説明】
【０００１】
【発明の属する技術分野】
本発明は空気浄化装置に関し、特に喫煙室や喫煙場所等における限定された範囲の汚染空気を浄化するのに適した空気浄化装置に関する。
【０００２】
【従来の技術】
従来から、喫煙室や喫煙場所におけるタバコからの汚染空気を浄化する装置として、空気清浄機能を有するテーブルがある。このような従来の空気清浄機能を有するテーブルは、テーブル天板とその下に設けられてテーブル天板を支持する箱体から構成されている。この箱体の内部にはフィルタ等の空気浄化手段及び送風機が設けられており、テーブル天板に設けられた吸込口から周囲の空気を吸込み、箱体内部の空気浄化手段により浄化した空気を箱体の側面に設けられた吹出し口から吹き出すようにしていた（例えば、特許文献１参照）。
【０００３】
また従来の空気浄化装置付きテーブルは、テーブル天板と、その下に設けられてテーブル天板を支持する箱体と、通風ダクトから構成されている。この通風ダクトは、フィルタと送風機を内蔵し、一端をテーブル天板に設けられた吸込口に挿入して、他端はテーブル天板より上方に突出させるようにしている。このような通風ダクトを設けて浄化した空気を上方に吹出すことにより、吹き出した空気が使用者の足下に当たることを防止するようにしていた（例えば、特許文献２参照）。
【０００４】
【特許文献１】
特許第３０５７３５２号公報（第８頁、図１）
【特許文献２】
特許第３１５５８６３号公報（第３頁、図１）
【０００５】
【発明が解決しようとする課題】
近年、受動喫煙防止の意識の高まりとともに、空気清浄機能を有するテーブルが普及しつつあるが、従来の空気清浄機能を有するテーブルでは（例えば、特許文献１参照）、テーブル天板に設けた吸込口から周囲の空気を吸込み、フィルタ等の空気浄化手段により浄化された空気をテーブル天板より下方から吹き出す構成を採っている。このため、使用者の足下に吹き出した空気が当たって不快感を与えるという問題点があった。また、上記の空気浄化手段の機能は集塵や脱臭等に限られており、例えば喫煙に伴って発生する一酸化炭素等の汚染物質はこのような空気浄化手段では除去することができないという問題点があった。さらに、浄化された空気は、テーブル天板の下方の箱体の側面に設けられた吹出し口から吹き出されるため、一酸化炭素等を含んだ空気が広い空間に拡散されることとなり、人の健康上好ましくなく、非喫煙者等に不快感を与えるという問題点があった。
【０００６】
また従来の空気浄化装置付きテーブルでは（例えば、特許文献２参照）、通風ダクトを設け、テーブル天板の上方から浄化された空気を吹き出すため、使用者の足下に吹き出した空気が当たることはないが、空気浄化手段では除去できない一酸化炭素等を含んだ空気が広い空間に拡散されるという特許文献１と同様の問題点があった。
【０００７】
一般に、喫煙に伴って発生する汚染空気の浄化に関して、空気清浄機能を有するテーブルは浮遊粉塵やタバコの煙に含まれる代表的な臭気成分であるアセトアルデヒドなどに対して有効である。建築物等に設置された換気装置を使用することによってもこれらの成分を排出することは可能であるが、エネルギー消費、運転費用の観点から、空気浄化機能を有するテーブルを使用する方が適している。しかし、一酸化炭素等の気体成分は一般的な空気清浄機能を有するテーブルによっては処理できないため、空気清浄機能を有するテーブルを使用する場合には、建築物等に設置された換気装置を併用している場合が多い。
【０００８】
ところが、建築物等に設置された換気装置の吸込口や、集中管理方式の空調・換気による排気口は、一般的に天井面、壁面等に設けられている。このため、喫煙者がタバコを吸う位置即ち汚染空気が発生する位置から離れているために、汚染空気が空間内に拡散した後に、徐々に汚染空気を吸込むこととなり吸込みの効率は良くない。
一方、空気清浄機能を有するテーブルは、一般的に喫煙者がタバコを吸う位置の近傍に設置されているため、汚染空気が拡散する前に集中的に吸込むことが可能であるため、吸込みの効率は高い。
【０００９】
本発明は、従来の空気浄化装置付きテーブルでは除去できなかった一酸化炭素等の汚染空気が拡散されることがなく、また上記のような建築物等に設置された既存の換気装置と組み合わせて使用することにより、効果的に汚染空気の浄化を行うことができる空気浄化装置を提供することを目的とする。
【００１０】
【課題を解決するための手段】
本発明に係る空気浄化装置は、集塵装置、集塵フィルタ、臭気除去装置及び臭気除去フィルタの少なくともいずれか１つを有する空気浄化部と、空気の吸引及び吹出しを行う送風機と、空気浄化部と送風機を収納して空気清浄機を形成する箱体とを備え、空気清浄機の吹出し口を一般的使用者の顔の位置より高い位置に設けたものである。
【００１１】
【発明の実施の形態】
実施形態１．
図１は、本発明の実施形態１に係る空気浄化装置の模式図である。図１は、一部を断面で示している。空気浄化装置１は床面に設置され、床面側は箱状で１脚式のテーブル脚２ａとテーブル天板２ｂからなるテーブル２から構成されている。テーブル天板２ｂの上方には支柱３が設けられており、支柱３の上部には空気浄化装置１の周囲の空気を吸込んで浄化する空気清浄機４が固定されている。
空気清浄機４は床面側から、タバコの煙等の汚染空気の吸込む吸込口５と、吸込んだ汚染空気を浄化する空気浄化部６と、下方向から上方向への空気流を作り出す送風機７と、空気浄化部６で浄化された空気を吹き出す吹出し口８とを備え、吹出し口８には固定された風向制御板８ａが設けられている。吸込口５は箱体４ａの下側のテーブル２と正対する位置に設けられ、吹出し口８は、箱体４ａの上部に上向きに設けられている。また、送風機７にはシロッコファンを使用している。
【００１２】
吸込口５、空気浄化部６、送風機７及び吹出し口８は空気清浄機４の周囲を囲む箱体４ａの内部の通風路９に設けられている。空気清浄機４は送風機７が運転を始めると、通風路９に上向きの空気流が発生し、吸込口５から周囲の汚染空気を吸込んで空気浄化部６で汚染空気を浄化した後に、送風機７を通過して吹出し口８から浄化された空気を吹き出す。
なお本実施形態１では、吸込口５は箱体４ａの下側のテーブル２と正対する位置に設けられているが、空気浄化部６より低い位置の箱体４ａの側面側に設けてもよい。
【００１３】
送風機７として、本実施形態１ではシロッコファンを使用しているが、ターボファンや軸流ファン等の送風機でもよい。空気浄化部６は、集塵装置、集塵フィルタ、臭気除去装置及び臭気除去フィルタの少なくともいずれか１つを有しているが、通常はこれらの２つ以上を組み合わせて構成する。例えば、比較的大きい粒子を捕集するプレフィルタを上流側に配置し、その下流側にタバコの煙の粒子成分を捕集する集塵装置とタバコの煙の臭気成分を化学処理する脱臭フィルタを組み合わせて空気浄化部６を構成するようにする。空気浄化部６は、着脱・メンテナンスが可能なように取り付けるようにしている。
【００１４】
吹出し口８は、箱体４ａの、一般的使用者（喫煙者）の顔の位置よりも高い位置に設け、吹出し口８から吹き出された空気が直接使用者にかからないようにする。このようにすることにより、使用者に風が当たることによる不快感をなくし、また吹出し口から吹き出された空気が使用者等に当たって乱され、タバコの灰や床面の塵を舞い上げることがないようにすることができる。
【００１５】
また吸込口５は、一般的使用者の喫煙によるタバコの煙の発生する位置よりも高い位置に設け、タバコの煙等の汚染空気を上側から吸込むようにする。通常タバコの燃焼により発生する副流煙は、発生した直後に０．２ｍ／ｓから０．３ｍ／ｓ程度の早さで上昇するため、吸込口５をこのような位置に設けることにより副流煙等の上昇する煙を効率よく吸込むことができる。
【００１６】
本実施形態１では吹出し口８に風向制御板８ａが設けられており、吹出し口８から吹き出される空気を、建築物等の天井面に設置された既存の換気装置の吸込口１０に向かって吹き出して搬送するようにしている。なお、吹き出された空気を搬送するとは、本実施形態１のように既存の換気装置の吸込口１０に向かって空気を吹き出す他に、以下の実施形態２に示すようにダクト等で直接既存の換気装置の吸込口１０に搬送する場合をも含むものである。吹出し口８から吹き出される空気には、喫煙に伴って発生する成分のうち例えば一酸化炭素等の空気浄化部６の有する集塵機能や脱臭機能によっては浄化できない成分が含まれているが、本実施形態１のように吹出し口８から既存の換気装置の吸込口１０に向かって吹き出して搬送することにより、これらの成分が広く拡散する前に既存の換気装置に吸込まれて、更にきれいな空気に浄化されることとなる。
なお、既存の換気装置が建築物等の壁面に設けられている場合には、吹出し口８を箱体４ａの上部の側面に設けて壁面に向けて空気を吹き出すようにしてもよい。
【００１７】
空気浄化部６及び送風機７は、箱体４ａ内部の吸込口５よりも高い位置に設けられているが、空気浄化部６と送風機７はほぼ直線上に並ぶように配置して、通風路９がまっすぐになるようにしている。これにより、通風路９の曲がりによる通風抵抗を抑えることができると共に、箱体４ａの構成がシンプルになるため、通風路９内の清掃や空気浄化部６の着脱・清掃が容易となる。
【００１８】
図１では、テーブル２のテーブル脚２ａが１脚式のもので喫煙者が起立した状態で使用する空気浄化装置を示したが、テーブル脚２ａが複数であってもよく、また椅子等に座って使用するようなものであってもよい。テーブル天板２ｂの表面の床面からの高さは、日本人の平均的な体格を考慮し、座って使用するタイプでは７０ｃｍ程度にし、起立して使用するタイプでは１００ｃｍ程度にするのが望ましい。また、転倒に対する安全性を確保するために、テーブル２の底部を床面にボルト等を用いて固定するようにしてもよい。
また、吸込口５は一般的使用者の喫煙によるタバコの煙の発生する位置よりも高い位置に設け、吹出し口８は一般的使用者（喫煙者）の顔の位置よりも高い位置に設けるため、起立して使用するタイプの場合には吸込口５の床面からの高さが１８０ｃｍ程度になるように支柱３の高さを設定するようにすればよい。
【００１９】
本実施形態１では、吹出し口８を箱体４ａの、一般的使用者の顔の位置よりも高い位置に設けたため、使用者に風が当たらず不快感を与えることがなく、吸込口５を一般的使用者の喫煙によるタバコの煙の発生する位置よりも高い位置に設けたため、汚染空気を上側から効率よく吸込むことができる。また、吹出し口８から吹き出される空気を既存の換気装置の吸込口１０に向かって吹き出して搬送するようにしたので、空気清浄機４の機能によって浄化できない成分を含んだ空気が拡散する前に既存の換気装置に吸込ませることができ、これらの成分の処理を効率的に行うことができる。
【００２０】
実施形態２．
図２は、本発明の実施形態２に係る空気浄化装置の模式図である。本実施形態２では、吹出し口８と既存の換気装置の吸込口１０をダクト１１で連接したものである。その他の空気浄化装置１の構成は、実施形態１と同様であり説明を省略する。
なおダクトは、蛇腹状の屈曲するようなものでもプラスチック等の屈曲しないものであってもよい。また既存の換気装置の吸込口１０は、既存の排気装置の吸込口であってもよく、これらの吸込口が建築物等の壁面にある場合には、箱体４ａの上部の側面側に吹出し口を設けて、壁面にある吸込口にダクトを連接してもよい。
【００２１】
本実施形態２では、吹出し口８と既存の換気装置の吸込口１０をダクト１１で直接連接しているので、吹出し口８から吹き出される空気は、空気浄化装置の周囲の外風等の影響を受けることなく、既存の換気装置の吸込口１０にすべて吸込まれる。これにより、空気清浄機４の機能によって浄化できない成分を含んだ空気が拡散することなく既存の換気装置に吸込ませることができ、これらの成分の処理を効率的に行うことができ、その効率は実施形態１の場合よりも高くなる。その他の効果は、実施形態１と同様である。
【００２２】
実施形態３．
図３は、本発明の実施形態３に係る空気浄化装置の模式図である。本実施形態３に係る空気浄化装置は、既存の換気装置の吸込口１０の下付近に設置して、吹出し口８を既存の換気装置の吸込口１０とほぼ正対するようにして使用する。吹出し口８には、風向制御板８ａは備えられていない。その他の空気浄化装置１の構成は実施形態１と同様であり説明を省略する。
【００２３】
本実施形態３では、吹出し口８を既存の換気装置の吸込口１０とほぼ正対するようにしたので、風向制御板８ａがなくても実施形態１と同様に、空気清浄機４の機能によって浄化できない成分を含んだ空気が拡散する前に既存の換気装置に吸込ませることができ、これらの成分の処理を効率的に行うことができる。その他の効果は、実施形態１と同様である。
【００２４】
実施形態４．
図４は、本発明の実施形態４に係る空気浄化装置の斜視図である。本実施形態４に係る空気浄化装置は、既存の換気装置の吸込口１０のある場所と空気浄化装置１の設置位置に応じて吹出し口８から吹き出される空気の向きを適宜変更できるように、吹出し口８に、左右に角度が変えられる風向制御板８ａを備え、吹出し口８の周囲の周縁部１２が回転するようにしたものである。風向制御板８ａは左右に角度が変えられるようになっており、周縁部１２は箱体４ａに対して回転するため、吹出し口８から吹き出される空気の向きを自由に変更できるようになっている。その他の空気浄化装置１の構成は実施形態１と同様であり説明を省略する。
【００２５】
本実施形態４では、吹出し口８に、左右に角度が変えられる風向制御板８ａを備え、吹出し口８の周囲のい周縁部１２が回転するため、既存の換気装置の吸込口１０のある場所と空気浄化装置１の設置位置に応じて吹出し口８から吹き出される空気の向きを適宜変更できるため、既存の換気装置の吸込口１０に、最も効率よく空気清浄機４の機能によって浄化できない成分を含んだ空気を吸込ませることができる。また、空気浄化装置１の設置場所を変更する場合の対応も容易となる。その他の効果は、実施形態１と同様である。
【００２６】
実施形態５．
図５は、本発明の実施形態５に係る空気浄化装置の模式図である。本実施形態５に係る空気浄化装置は、実施形態４と同様に、既存の換気装置の吸込口１０のある場所と空気浄化装置１の設置位置に応じて吹出し口８から吹き出される空気の向きを適宜変更できるように、吹出し口８の上部に屈曲する筒体１３を備えたものである。この筒体１３は、屈曲する蛇腹状のものが望ましいが、堅い素材の筒を２以上連接して屈曲可能とし、図４の実施形態４のように吹出し口８の周囲の周縁部１２を回転するようにしてもよい。なお、図６に示すように空気清浄機４の箱体４ｂを屈曲するようにしてもよいが、箱体４ｂを屈曲させる際に送風機７等が破損しないように注意しなければならない。その他の空気浄化装置１の構成は、実施形態１と同様であり説明を省略する。
【００２７】
本実施形態５では、吹出し口８の上部に屈曲する筒体１３を備えているため、実施形態４と同様に、既存の換気装置の吸込口１０のある場所と空気浄化装置１の設置位置に応じて吹出し口８から吹き出される空気の向きを適宜変更できるため、既存の換気装置の吸込口１０に、最も効率よく空気清浄機４の機能によって浄化できない成分を含んだ空気を吸込ませることができる。また、空気浄化装置１の設置場所を変更する場合の対応も容易となる。その他の効果は、実施形態１と同様である。
【００２８】
なお、実施形態１から５までの空気浄化装置は、既存の換気装置の吸込口１０に吹出し口から吹き出された空気を搬送しているが、既存の排気装置の吸込口に搬送するようにしてもよい。
また実施形態１及び２に示したように、実施形態３から５の空気浄化装置も、既存の換気装置の吸込口１０又は既存の排気装置の吸込口が、建築物等の壁面に設置されている場合にも適用できる。
【００２９】
実施形態６．
図７は、本発明の実施形態６に係る空気浄化装置の模式図である。本実施形態６に係る空気浄化装置は、上記の実施形態１から５までの空気浄化装置に、タバコの吸い殻及び灰を収納する容器構造１４を設けたものである。この容器構造１４は、吸込口５の下方の、吸込口５にほぼ正対する位置に設ける。なお、図７では容器構造１４がテーブル天板２ｂの高さに設けられているが、テーブル脚２ａの内部の下方にタバコの吸い殻及び灰が収納されるような構造にしてもよい。その他の空気浄化装置１の構成は、実施形態１と同様であり説明を省略する。
【００３０】
本実施形態６では、吸込口５の下方の吸込口５にほぼ正対する位置にタバコの吸い殻及び灰を収納する容器構造１４を設けたため、タバコの吸い殻や灰を入れる際に容器構造１４の周囲から立ち上る副流煙を、ほとんど逃すことなく捕集することができる。また、喫煙者が容器構造１４の周囲、即ち吸込口５の周囲で喫煙をすることとなるため、主流煙等のタバコの煙も捕集されることとなる。
【００３１】
【発明の効果】
以上のように本発明によれば、空気清浄機の吹出し口を一般的使用者の顔の位置より高い位置に設けたため、使用者に風が当たることによる不快感をなくし、また吹出し口から吹き出された空気が使用者等に当たって乱され、タバコの灰や床面の塵を舞い上げることがないようにすることができる。
【図面の簡単な説明】
【図１】本発明の実施形態１に係る空気浄化装置の模式図である。
【図２】本発明の実施形態２に係る空気浄化装置の模式図である。
【図３】本発明の実施形態３に係る空気浄化装置の模式図である。
【図４】本発明の実施形態４に係る空気浄化装置の斜視図である。
【図５】本発明の実施形態５に係る空気浄化装置の模式図である。
【図６】本発明の実施形態５に係る空気浄化装置の他の例の模式図である。
【図７】本発明の実施形態６に係る空気浄化装置の模式図である。
【符号の説明】
１  空気浄化装置、２  テーブル、２ａ  テーブル脚、２ｂ  テーブル天板、３  支柱、４  空気清浄機、４ａ  箱体、４ｂ  箱体、５  吸込口、６  空気浄化部、７  送風機、８  吹出し口、８ａ  風向制御板、９  通風路、１０  既存の換気装置の吸込口、１１  ダクト、１２  周縁部、１３  筒体、１４  容器構造。
【図１】
2004324984.tif 000003
【図２】
2004324984.tif 000004
【図３】
2004324984.tif 000005
【図４】
2004324984.tif 000006
【図５】
2004324984.tif 000007
【図６】
2004324984.tif 000008
【図７】
2004324984.tif 000009